(57)【要約】【課題】  長期間の使用に耐えうる連続した形成の保安柵の構成で,保管・移動・設置・解除・再設置・変更・撤去が容易に行え,第三者に対する視認性が確保され告知性も明確になるコーン用保安柵を提供する。  【解決手段】  ロープを保安柵の両端部及び少なくとも１つの中間部に輪状部を造り,各輪状部にはロープ,又は紐のストッパーを装着することで,連続した形成の保安柵の構成が可能で,各輪状部及びストッパーは粘着テープで貼着し,耐久性を高め長期間の使用に耐えうる形成で破損し難く,保管・移動・設置・解除・再設置・変更・撤去が容易になり,各輪状部間のロープを耐久性のある各種表示部材に挿通することにより,表示部は第三者に対する視認性が確保され告知性も明確になるコーン用保安柵。 【選択図】図１２-c
2013199832.tif 000002
【特許請求の範囲】
【請求項１】
ロープを保安柵の両端部及び少なくとも１つの中間部に輪状部を造り,各輪状部にロープ,又は紐のストッパーを装着し,連続した形成の保安柵を構成することを特徴とするコーン用保安柵。
【請求項２】
前記各輪状部及びストッパーを粘着テープで貼着し,ロープ特有の柔軟性と軽量化を特徴とする請求項１記載のコーン用保安柵。
【請求項３】
前記各輪状部間のロープを表示用ロープとして使用し,耐久性のある各種表示部材に挿通することを特徴とする請求項１,又は請求項２記載のコーン用保安柵。
【発明の詳細な説明】
【技術分野】
【０００１】
本発明は,長期間の使用に耐えうる連続した形成の保安柵の構成で,保管・移動・設置・解除・再設置・変更・撤去が容易に行え,第三者に対する視認性が確保され告知性も明確になるコーン用保安柵に関するものである。
【背景技術】
【０００２】
従来,工事現場及び工場・倉庫・駐車場・イベントなどにおけるコーンを用いたこの種の保安柵として,図１aコーンバー・図１bコーンロープ・図１cコーンチェーンと称されるものが知られている。これらの保安柵の両端部1は,各輪状部2に固定して,各輪状部2を２つのコーン3の一定の高さに取り付けをすることによりコーン間に表示部4を横方向に渡して保安柵を構成するようになっている。
【発明の概要】
【発明が解決しようとする課題】
【０００３】
従来の前記保安柵はコーンの間隔が各表示部の最大の長さに限られ,輪状部は大小の各種コーンの常に一定の高さでの設置しかできず,連続した規制区域での保安柵の作成において大量の数の該保安柵とコーンとを必要とし,該保安柵及びコーン不足では設置ができない。輪状部は,プラスチィックの成形品及び金属類などで形成され人為的及び車両の通行などで破損し易い。又,該保安柵は,保管・移動に嵩張り設置・解除・再設置・変更・撤去などが煩雑になり,コーンのみの設置で対応している場合も見かけられる。表示部のほとんどが黒/黄,赤/白などの縞模様か単色の図柄で,第三者に対する視認性・告知性が劣るという問題もあった。
【０００４】
本発明は,従来の前記保安柵の問題点を鑑みてなされたもので,本発明の一つの目的は,ロープを保安柵の両端部及び少なくとも１つの中間部に輪状部を造り,各輪状部にロープ,又は紐のストッパーを装着し,連続した形成の保安柵を構成するコーン用保安柵を提供することにある。
【０００５】
本発明の他の目的は,各輪状部及びストッパーを粘着テープで貼着し,ロープ特有の柔軟性と軽量化したコーン用保安柵を提供することにある。
【０００６】
本発明の他の目的は,各輪状部間のロープを表示用ロープとして使用し,耐久性のある各種表示部材に挿通するコーン用保安柵を提供することにある。
【課題を解決するための手段】
【０００７】
本発明によるコーン用保安柵は,ロープを保安柵の両端部及び少なくとも１つの中間部に輪状部を造る。各輪状部の結束部は特殊な結び方をして強固に固定され,ロープ,又は紐を特殊な結び方をした各輪状部に装着されたストッパーは,コーンの好適な高さに各輪状部をコーンに係止できる。これにより連続した形成の保安柵を構成するコーン用保安柵が可能である。
【０００８】
前記各輪状部及び各輪状部に装着されたロープ,又は紐のストッパーは,粘着テープで貼着し耐久性を高め,長期間の使用に耐えうる形成で人為的及び車両の通行などでも破損し難い。ロープ特有の柔軟性を持ち軽量化した前記保安柵は,保管・移動に嵩張らず,設置・解除・再設置・変更・撤去も容易になる。
【０００９】
前記各輪状部間のロープを表示用ロープとして使用し,耐久性のある各種表示部材に挿通することにより,表示部は第三者に対する視認性も確保され告知性も明確になる。
【発明の効果】
【００１０】
従来の保安柵は,連続した規制区域での保安柵を作成する場合に,該保安柵とコーンの数が必須条件となっていた。しかし,請求項１の発明によればロープを保安柵の両端部及び少なくとも１つの中間部に輪状部を造り,各輪状部にロープ,又は紐のストッパーを装着し,連続した形成の保安柵を構成するコーン用保安柵は,連続した規制区域での保安柵を作成する場合に必要最小限のコーンの数で設置でき,従来の保安柵及びコーン不足も解消される効果が得られる。請求項２によれば各輪状部及び各輪状部のストッパーを粘着テープで貼着することにより,耐久性を高め人為的及び車両の通行などでも破損し難く,ロープ特有の柔軟性を持ち軽量化した本保安柵は,従来の保安柵と比べ保管場所を大幅に削減し,移動は徒歩・自転車・乗用車・工事用車両などでも対応ができ,設置は輪状部をコーンに係着及びコーンの移動で,解除・再設置・変更・撤去もコーンの移動や輪状部の脱着により容易になる効果も得られる。請求項３によれば各輪状部間のロープを表示用ロープとして使用し,耐久性のある各種表示部材に挿通することにより,表示部は第三者に対する視認性も確保され告知性も明確になり,今までは危険場所と認識する歩行者などの誘導がスムーズに行える効果も得られる。
【図面の簡単な説明】
【００１１】
【図１−ａ】コーンバーの斜視図である。
【図１−ｂ】コーンロープの斜視図である。
【図１−ｃ】コーンチェーンの斜視図である。
【図２−ａ】本発明の両端部の輪状部の結束部の正面図である。
【図２−ｂ】粘着テープで貼着した結束部の正面図である。
【図３】本発明の中間部の輪状部の結束部の正面図である。
【図４−ａ】本発明の各輪状部内のストッパーの正面図である。
【図４−ｂ】粘着テープで貼着したストッパーの正面図である。
【図５−ａ】輪状部内の粘着テープで貼着したストッパーの正面図である
【図５−ｂ】輪状部内の粘着テープで貼着したストッパーの正面図である。
【図６】本発明の保安柵の正面図である。
【図７−ａ】本発明の保安柵とコーンとの関係を示した説明図である.
【図７−ｂ】従来の保安柵とコーンとの関係を示した説明図である。
【図８】本発明の粘着テープで貼着した各輪状部とストッパーの正面図である。
【図９】本発明の表示用ロープと各種表示部材を使用した表示部の正面図である。
【図１０】本発明の保安柵の設置例を示した説明図である。
【図１１】本発明の保安柵の保管方法を示した説明図である。
【図１２−ａ】は本発明の保安柵の設置方法を示した説明図である。
【図１２−ｂ】は本発明の保安柵の設置方法を示した説明図である。
【図１２−ｃ】は本発明の保安柵の設置方法を示した説明図である。
【図１３−ａ】本発明の保安柵の解除方法を示した説明図である。
【図１３−ｂ】本発明の保安柵の再設置方法を示した説明図である。
【図１４】本発明の保安柵の変更方法を示した説明図である。
【図１５】本発明の保安柵の撤去方法を示した説明図である。
【発明を実施するための形態】
【００１２】
本発明は,以下の図面を参照しながら本発明のコーン用保安柵について説明する。
【００１３】
本発明は三つよりロープ5の両端部1及び少なくとも１つの中間部6に輪状部2を造る。図２a各輪状部2には,数多く使用されている公知の円錐状の高さ７０Cmのコーン3の中間部分が適度に収まる程度のロープ5を粘着テープ7で貼着をし,両端部1の輪状部2の結束部8は,使用時に解けないよう,例えば適度な差し込み回数をしたアイスプライス9加工で更に図２b粘着テープ7の貼着で結着をする。図３中間部6の輪状部2の結束部8は,例えばバタフライノット10加工での結着を施す。これにより各輪状部2の結束部8は強固に固定される。
【００１４】
図４a各輪状部2には,粘着テープ7で貼着したロープ,又は紐で例えば適度な回数のはさみ縛り11加工をしたストッパー12を更に図４b粘着テープ7で貼着し装着する。図５aこれによりコーン3に嵌合される各輪状部2は,ストッパー12によりコーン3に密着係止する。又,ストッパー12は各輪状部2をスムーズに移動ができ輪状部2から脱落しない。大小の各種コーン3の中心点17は常に一定になることにより, 図５bストッパー12を各輪状部2の結束部8がコーン3の中心点17になるように形成することで,コーン3の少しの移動もさせることもなく輪状部2を好適な高さに係止できる。本発明は,図６両端部1及び少なくとも１つの中間部6の輪状部2にストッパー12を設けることにより,連続した形成の保安柵を構成するコーン用保安柵が可能となる。
【００１５】
本発明の保安柵は,規制区域が１０mの連続した保安柵の作成で,図７a例えば本発明の１０mの連続した形成の保安柵を構成するコーン用保安柵の場合は,両端部1及び中間部6間のロープ5を並列して使用し,コーン3の台座部18に交知のウエイト19を用い,最適な径を持つロープ5の張力に耐えうるコーン3間の概ね最大5〜6mの距離で各輪状部2をコーン3に係止できることにより,3個の必要最小限のコーン3で規制区域を確保できる。従来の保安柵,図１aコーンバー・図１bコーンロープ・図１cコーンチェーンは,それぞれの表示部4が概ね最大２m長で図７bの図１aコーンバーの場合もコーンバーが５個とコーン3が６個必要となり,本発明のコーン用保安柵は,従来の保安柵及びコーン不足も解消できる。  
【００１６】
図８粘着テープ7で貼着をした各輪状部2及び結束部8とストッパー12は,人為的及び車両の通行などでも破損し難い。
【００１７】
各輪状部間のロープ5を表示用ロープ13として使用する。図９表示用ロープ13を,耐久性のある適度な長さと幅を有する各種表示部材14の接着をしていない表示部4の上縁部長手方向に形成された袋状部16に挿通すことにより,表示部4は表示用ロープ13のねじれにも巻きつくこともなく吊り下がる。又,表示用ロープ13を粘着用テープ7で貼着し,耐久性を高めるのもよい。これにより,図1aコーンバー・図１bコーンロープ・図１cコーンチェーン以上の第三者に対する視認性も確保され告知性も明確になる。尚,接着については,公知の粘着式やファスナーテープ式などの接着方法を限定するものでない。
【００１８】
図１０本発明のコーン用保安柵の各輪状部2をコーン3の好適な高さに係止できることで,表示部4を他の表示用資材15と併用し公知のガードバー仕様としても使用可能となる。本発明のコーン用保安柵の輪状部2を何かの方法で縛るか,何かに引っ掛けるか,図１１コーン3に収納するかで保管・移動に嵩張らない。設置時は,図１２a規制区域に予め適度な位置にコーン3を配設,図１２b並列した表示用ロープ13が軽く垂れ下がる程度で各輪状部2をコーン3に近接,図１２cコーン3を並列した表示用ロープ13の張力に耐えうる好適な位置に移動し規制区域を確保。従来の保安柵図１a,１b,１cとコーン3との一つ一つの調整に比べ迅速に設置ができる。従来の保安柵の規制区域を車両の通行などによる解除は,従来の図１a,１b,１c及びコーン3の撤去,再設置も煩雑になっていた。本発明のコーン用保安柵は,図１３aコーン3から各輪状部2を係脱して解除,図１３b再設置もコーン3に各輪状部2を係着して簡易になる。規制区域の変更において従来の保安柵１a,１b,１cは,コーン3から保安柵を撤去し,再度コーン3を配設し保安柵とコーン3 の微調整をしているが,図１４本発明のコーン用保安柵は規制区域の変更時もコーン3の移動や輪状部2の脱着で容易になる。図１５撤去時は,表示部4を手繰りながらコーン3から各輪状部2を手で回収するのみとなる。
【符号の説明】
【００１９】
1   両端部
2   輪状部
3   コーン
4   表示部
5   ロープ
6   中間部
7   粘着テープ
8   結束部
9   アイスプライス
10   バタフライノット
11   はさみ絞り
12   ストッパー
13   表示用ロープ
14   表示部材
15   表示用資材
16   袋状部
17   中心点
18   台座部
19   ウエイト
【図１−ａ】
2013199832.tif 000003
【図１−ｂ】
2013199832.tif 000004
【図１−ｃ】
2013199832.tif 000005
【図２−ａ】
2013199832.tif 000006
【図２−ｂ】
2013199832.tif 000007
【図３】
2013199832.tif 000008
【図４−ａ】
2013199832.tif 000009
【図４−ｂ】
2013199832.tif 000010
【図５−ａ】
2013199832.tif 000011
【図５−ｂ】
2013199832.tif 000012
【図６】
2013199832.tif 000013
【図７−ａ】
2013199832.tif 000014
【図７−ｂ】
2013199832.tif 000015
【図８】
2013199832.tif 000016
【図９】
2013199832.tif 000017
【図１０】
2013199832.tif 000018
【図１１】
2013199832.tif 000019
【図１２−ａ】
2013199832.tif 000020
【図１２−ｂ】
2013199832.tif 000021
【図１２−ｃ】
2013199832.tif 000022
【図１３−ａ】
2013199832.tif 000023
【図１３−ｂ】
2013199832.tif 000024
【図１４】
2013199832.tif 000025
【図１５】
2013199832.tif 000026